(57)【要約】【課題】装着カバーの設計上の自由度を向上させ、確実な固定が行える装着カバー並びにプロジェクター、及び装着カバーを取り外した場合にも固定用の構成部を目立たせなくするプロジェクターを提供する。【解決手段】装着カバー１は、装着対象部に着脱自在に装着される装着カバー１であって、赤外線を透過させるフィルター部材（赤外線フィルター１５）と、装着対象部に装着して固定する固定部２０と、を備えている。また、固定部２０は、装着カバー本体１０に回転自在に支持されるネジ３０を有して装着対象部に固定するネジ固定部２２を備える。ネジ固定部２２は、ネジ３０に付勢力を付与する付勢部材（ばね６０）を備えている。そして、装着対象部には、装着カバー１の係合部２１と係合する係合受部７１を備え、係合受部７１には、係合部２１と係合する際に開口し、係合部２１が係合を解除する際に閉塞する開閉蓋７２を備えている。【選択図】図４
2012008174.tif 000002
【特許請求の範囲】
【請求項１】
装着対象部に着脱自在に装着される装着カバーであって、
赤外線を透過させるフィルター部材と、
前記装着対象部に装着して固定する固定部と、を備えていることを特徴とする装着カバー。
【請求項２】
請求項１に記載の装着カバーであって、
前記固定部は、前記装着カバーの本体に回転自在に支持されるネジを有して前記装着対象部に固定するネジ固定部を備えることを特徴とする装着カバー。
【請求項３】
請求項２に記載の装着カバーであって、
前記ネジ固定部は、前記ネジに付勢力を付与する付勢部材を備えていることを特徴とする装着カバー。
【請求項４】
請求項３に記載の装着カバーであって、
前記付勢部材は、コイルばねで形成されていることを特徴とする装着カバー。
【請求項５】
装着対象部に着脱自在に装着される装着カバーであって、
前記装着対象部に装着して固定する固定部を備え、
前記固定部は、前記装着カバーの本体に回転自在に支持されるネジを有して前記装着対象部に固定するネジ固定部を備え、
前記ネジ固定部は、前記ネジに付勢力を付与する付勢部材を備えていることを特徴とする装着カバー。
【請求項６】
請求項５に記載の装着カバーであって、
前記付勢部材は、コイルばねで形成されていることを特徴とする装着カバー。
【請求項７】
請求項１〜請求項６のいずれか一項に記載の装着カバーであって、
前記固定部は、前記装着対象部に係合する係合部を備えていることを特徴とする装着カバー。
【請求項８】
請求項１〜請求項７のいずれか一項に記載の装着カバーが着脱自在に装着される装着対象部と、
入射する光束を画像信号に基づいて変調する光変調装置と、を備えていることを特徴とするプロジェクター。
【請求項９】
請求項８に記載のプロジェクターであって、
前記装着対象部には、前記装着カバーの前記係合部と係合する係合受部を備え、
前記係合受部には、前記係合部と係合する際に開口し、前記係合部が係合を解除する際に閉塞する開閉蓋を備えていることを特徴とするプロジェクター。
【発明の詳細な説明】
【技術分野】
【０００１】
本発明は、装着カバーと、装着カバーを着脱自在なプロジェクターに関する。
【背景技術】
【０００２】
従来、プロジェクターは、例えば、ＰＣ（パーソナルコンピューター）やＤＶＤ（Digital Versatile Disk）プレーヤー等、複数の外部電子機器と接続され、ＰＣで作成された資料などの映像や、ＤＶＤに録画された映画等の映像等を投写することに利用されている。なお、プロジェクターは、上記の様々な外部電子機器から供給される様々な形式の画像信号に対応する複数の入力端子を備え、この入力端子に対応した接続ケーブルが接続される。
【０００３】
なお、プロジェクターに複数の接続ケーブルが接続された状態は、外観的な見栄えを低下させている。そこで、接続ケーブルが接続される領域を覆うためのカバーをプロジェクターの外装ケースに装着して接続ケーブルを見え難くさせることで、見栄えを向上させることが行われている（例えば、特許文献１）。
【先行技術文献】
【特許文献】
【０００４】
【特許文献１】特開２００４−２０７４００号公報
【発明の概要】
【発明が解決しようとする課題】
【０００５】
しかし、カバー（装着カバー）が、例えば、接続ケーブルを覆う際、覆う領域の近傍にリモコン（リモートコントローラー）からの赤外線を受信する領域を有している場合には、その領域を避けた外形形状の装着カバーを設置していた。これにより、装着カバーは、設計上の制約を受けていた。また、装着カバーを、例えば、プロジェクターの外装ケースに固定する際、装着カバーに設置されたネジ等を用いて行っているが、ネジ位置が固定されずにがたついていた。これにより、装着カバーを、プロジェクターの外装ケースに固定する際、がたつくネジにより外装ケースに傷等を付け、外装品質を低下させていた。また、ネジががたつくことにより、ネジ締めする際の作業性を低下させていた。また、装着カバーを、プロジェクターの外装ケースに固定する際、装着カバーに形成した係合部を、プロジェクターに形成した孔部内に挿入させて係合を行っているが、装着カバーを取り外した際には、プロジェクターの前記孔部が目立ち、外観的な見栄えを低下させていた。
従って、装着カバーの設計上の自由度を向上させ、確実な固定が行える装着カバー並びにプロジェクター、及び装着カバーを取り外した場合にも固定用の構成部を目立たせなくするプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係る装着カバーは、装着対象部に着脱自在に装着される装着カバーであって、赤外線を透過させるフィルター部材と、装着対象部に装着して固定する固定部と、を備えていることを特徴とする。
【０００８】
このような装着カバーによれば、赤外線を透過させるフィルター部材を備えていることにより、装着対象部に赤外線用のフィルターが設置されている場合であっても、このフィルターを避けた外形形状で装着カバーを構成する必要がなくなる。これにより、装着カバーの設計上の自由度を向上させることができる。
【０００９】
（適用例２）上記適用例に係る装着カバーにおいて、固定部は、装着カバーの本体に回転自在に支持されるネジを有して装着対象部に固定するネジ固定部を備えることが好ましい。
【００１０】
このような装着カバーによれば、装着カバーの本体に回転自在に支持されるネジを有するネジ固定部により、装着カバーを装着対象部に確実に固定することができる。
【００１１】
（適用例３）上記適用例に係る装着カバーにおいて、ネジ固定部は、ネジに付勢力を付与する付勢部材を備えていることが好ましい。
【００１２】
このような装着カバーによれば、付勢部材によりネジに付勢力を付与することで、ネジ位置が固定され、ネジのがたつきが抑制されるため、ネジ締め用の工具（ドライバー等）によりネジ締めする際の作業性を向上させると共に、更に確実に、装着カバーを装着対象部に固定することができる。また、ネジ位置が固定され、がたつきが抑制されるため、装着カバーを装着対象部に装着する際、ネジのがたつきによる装着対象部への傷つけ等の不具合を抑制することができ、装着対象部の外観品質を良好に維持することができる。
【００１３】
（適用例４）上記適用例に係る装着カバーにおいて、付勢部材は、コイルばねで形成されていることが好ましい。
【００１４】
このような装着カバーによれば、付勢部材は、コイルばねで形成されるため、簡易に付勢部材を構成することができる。
【００１５】
（適用例５）本適用例に係る装着カバーは、装着対象部に着脱自在に装着される装着カバーであって、装着対象部に装着して固定する固定部を備え、固定部は、装着カバーの本体に回転自在に支持されるネジを有して装着対象部に固定するネジ固定部を備え、ネジ固定部は、ネジに付勢力を付与する付勢部材を備えていることを特徴とする。
【００１６】
このような装着カバーによれば、固定部（ネジ固定部）に備える付勢部材により、ネジに付勢力を付与することで、ネジ位置が固定され、ネジのがたつきが抑制されるため、ネジ締め用の工具（ドライバー等）を用いてネジ締めする際の作業性を向上させると共に、装着カバーを装着対象部に確実に固定することができる。また、ネジ位置が固定され、がたつきが抑制されるため、装着カバーを装着対象部に装着する際、ネジのがたつきによる装着対象部への傷つけ等の不具合を抑制することができ、装着対象部の外観品質を保持することができる。
【００１７】
（適用例６）上記適用例に係る装着カバーにおいて、付勢部材は、コイルばねで形成されていることが好ましい。
【００１８】
このような装着カバーによれば、付勢部材は、コイルばねで形成されるため、簡易に付勢部材を構成することができる。
【００１９】
（適用例７）上記適用例に係る装着カバーにおいて、固定部は、装着対象部に係合する係合部を備えていることが好ましい。
【００２０】
このような装着カバーによれば、固定部が係合部を備えて装着カバーを装着対象部に固定することができることにより、装着操作が簡易となる。また、係合部とネジ固定部とを併用して装着カバーを装着対象部に固定することができることにより、確実な装着を行うことができる。
【００２１】
（適用例８）本適用例に係るプロジェクターは、上述したいずれかの装着カバーが着脱自在に装着される装着対象部と、入射する光束を画像信号に基づいて変調する光変調装置と、を備えていることを特徴とする。
【００２２】
このようなプロジェクターによれば、装着対象部に対して装着カバーを着脱自在に装着することができるため、例えば、複数の接続ケーブルを接続する領域を装着対象部として適用した場合、複数の接続ケーブルを覆い隠すことができる。これにより、外観的な見栄えを向上させることができると共に、装着対象部を塵埃の進入や外力の印加等から保護することができ、接続ケーブルの良好な接続状態を維持させることができる。
【００２３】
（適用例９）上記適用例に係るプロジェクターにおいて、装着対象部には、装着カバーの係合部と係合する係合受部を備え、係合受部には、係合部と係合する際に開口し、係合部が係合を解除する際に閉塞する開閉蓋を備えていることが好ましい。
【００２４】
このようなプロジェクターによれば、係合受部に開閉蓋を備えて、装着カバーの係合部が係合を解除する際には閉塞することで、装着カバーをプロジェクターから取り外した場合に、係合受部を開閉蓋で隠す（固定用の構成部を目立たせなくする）ことができる。これにより、係合受部の外観上の見栄えを含む外観品質を向上させることができる。また、係合受部を塵埃の進入や外力の印加等から保護することができる。
【図面の簡単な説明】
【００２５】
【図１】本実施形態に係るプロジェクターの光学系の構成を模式的に示す平面図。
【図２】装着カバー及びプロジェクターの斜視図。
【図３】装着カバーをプロジェクターに装着した状態を示す斜視図。
【図４】装着カバーを示す斜視図。
【図５】装着カバーと、プロジェクターの装着対象部との概断面図。
【図６】装着カバーを装着対象部に装着した状態を示す概断面図。
【発明を実施するための形態】
【００２６】
以下、実施形態を図面に基づいて説明する。
（実施形態）
【００２７】
図１は、本実施形態に係るプロジェクター５の光学系の構成を模式的に示す平面図である。図１を参照して、プロジェクター５の光学系の構成及び動作を簡略に説明する。
【００２８】
プロジェクター５は、光源（光源ランプ４１１）から射出された光束を画像信号に基づいて変調してスクリーンＳＣに拡大投写する装置である。プロジェクター５は、外装を構成する外装筐体５０を備える。外装筐体５０内部には、光学ユニット４、冷却装置（図示省略）、プロジェクター５の動作を統括制御する制御部（図示省略）を含む回路構成部（図示省略）等を備えている。
【００２９】
本実施形態の光学ユニット４は、光源装置４１と照明光学装置４２と色分離光学装置４３とリレー光学装置４４と光学装置４５と光学部品用筐体４６と投写光学装置４７とを備えている。
【００３０】
光源装置４１は、光源ランプ４１１及びリフレクター４１２を有している。光源装置４１は、光源ランプ４１１の発光による光束をリフレクター４１２で反射させて、照明光学装置４２に射出するものである。なお、本実施形態の光源ランプ４１１は、超高圧水銀ランプ等の放電式ランプを採用している。
【００３１】
照明光学装置４２は、光源装置４１から射出された光束に対し、照明光軸Ａに直交する面内での照度を均一化するためのものである。照明光学装置４２は、レンズアレイ４２１，４２２、偏光変換素子４２４、及び重畳レンズ４２５を有している。また、照明光学装置４２は、３つのフィールドレンズ４２６を有している。フィールドレンズ４２６は、光学装置４５の３つの光変調装置の手前に配置され、レンズアレイ４２２から射出された各部分光束をその中心軸に対して平行な光束に変換する。
【００３２】
色分離光学装置４３は、照明光学装置４２からの照明光束を赤色（Ｒ）光、緑色（Ｇ）光、及び青色（Ｂ）光の３つの色光に分離して、対応する３つの光変調装置に導光するものである。色分離光学装置４３は、ダイクロイックミラー４３１，４３２、及び反射ミラー４３３を有している。リレー光学装置４４は、色分離光学装置４３で分離された色光（本実施形態ではＲ光）に対し、光路の長さが他の色光の光路の長さよりも長くなるため、光の発散等による光の利用効率の低下を防止し、光変調装置（本実施形態ではＲ光用光変調装置）まで導くものである。リレー光学装置４４は、入射側レンズ４４１、リレーレンズ４４３、及び反射ミラー４４２，４４４を有している。
【００３３】
光学装置４５は、各光変調装置に入射した各色光を画像信号に基づいて変調し、色合成光学装置で合成するものである。光学装置４５は、光変調装置を構成する３つの液晶パネル４５１、３つの入射側偏光板４５２、３つの射出側偏光板４５３、及び色合成光学装置としてのクロスダイクロイックプリズム４５４を有している。また、３つの液晶パネル４５１は、Ｒ光用光変調装置としてのＲ光用液晶パネル４５１Ｒ、緑色光用光変調装置としてのＧ光用液晶パネル４５１Ｇ、及びＢ光用光変調装置としてのＢ光用液晶パネル４５１Ｂで構成されている。なお、本実施形態の光変調装置を構成する３つの液晶パネル４５１は透過型を採用している。
【００３４】
投写光学装置４７は、投写レンズ４７１を有し、光学装置４５（色合成光学装置）で合成された画像光をスクリーンＳＣに拡大投写する。光学部品用筐体４６は、内部に所定の照明光軸Ａが設定され、上述した各光学装置４１〜４５を照明光軸Ａに対する所定位置に収容する。なお、上述した各光学装置４１〜４５，４７に関しては、種々の一般的なプロジェクターの光学系として利用されているため、詳細な説明を省略する。
【００３５】
図２は、本実施形態に係る装着カバー１及びプロジェクター５の斜視図である。図３は、装着カバー１をプロジェクター５に装着した状態を示す斜視図である。なお、図２、図３は、下方背面側から見た斜視図である。また、図２は、装着する前の装着カバー１と、プロジェクター５とを併せて図示している。図２、図３を参照して、装着カバー１及びプロジェクター５の外観的構成を説明する。
【００３６】
図２に示すように、プロジェクター５は、上述した光学ユニット４、冷却装置（図示省略）、回路構成部（図示省略）等を内部に収容する外装筐体５０、及び外装筐体５０の前面側から突出する投写レンズ４７１を備えている。外装筐体５０は、上ケース５１と下ケース５２とを有して構成されている。上ケース５１の上面部５１Ａには、プロジェクター５の起動操作や調整操作を行うための操作パネル（図示省略）が設置されている。操作パネルは、起動スイッチや、画像や音声等の調整スイッチを含む複数のスイッチ（図示省略）を備えている。
【００３７】
上ケース５１の背面部５１Ｂには、赤外線フィルター３が設置されている。赤外線フィルター３は、リモコン（リモートコントローラー）から出力される赤外線（操作信号）を受信する際、所定の波長領域を透過する。なお、赤外線フィルター３を透過した赤外線は外装筐体５０内部に設置される受光素子（図示省略）に操作信号として入力する。
【００３８】
下ケース５２の底面部５２Ａには、背面側の略中央に固定脚部５２１が設置され、前面側の両端部には、調整脚部５２２が設置されている。調整脚部５２２は、下ケース５２の底面部５２Ａから進退自在に突出する軸状部材（図示省略）を有して構成されている。軸状部材は、外装筐体５０内部に収容されている。軸状部材は、調整ボタン（図示省略）を操作することにより底面部５２Ａからの進退量を調整することができる。これにより、プロジェクター５からスクリーンＳＣ等に投写される投写画像の上下位置を調整する。
【００３９】
下ケース５２の背面部５２Ｂには、下側（底面側）で、前面側に向かって窪ませた凹部５２Ｃに、複数の外部電子機器（図示省略）からの画像信号等を入力するための複数の入力端子５３１を備えるインターフェース部５３が設置されている。プロジェクター５は、インターフェース部５３の入力端子５３１に対応した接続ケーブル（図示省略）を介して外部電子機器と接続し、画像信号を入力する。また、インターフェース部５３には、端部に、電源ケーブル（図示省略）と接続する電力供給用のインレットコネクター５３２等が設置されている。
【００４０】
図４は、装着カバー１を示す斜視図であり、図４（ａ）は、装着カバー１を内面側から見た斜視図であり、図４（ｂ）は、装着カバー１の組み立て図である。図５は、装着カバー１と、プロジェクター５の装着対象部を示す概断面図である。図６は、装着カバー１を装着対象部に装着した状態を示す概断面図である。なお、図５、図６は、図４（ａ）に示す装着カバー１における固定部２０でのＢ−Ｂ断面を示しており、プロジェクター５においては、この固定部２０に対応するプロジェクター５の固定部７０の断面を示している。図２〜図６を参照し、装着カバー１の構成、装着カバー１の固定部２０の構成、プロジェクター５の固定部７０の構成、及び装着動作等を説明する。
【００４１】
装着カバー１は、図２、図３に示すように、装着対象部に着脱自在に装着されるものである。なお、装着カバー１を装着するプロジェクター５の装着対象部は、本実施形態では、上述したインターフェース部５３、及びインターフェース部５３の上部近傍に位置する赤外線フィルター３を含めた外装筐体５０の背面側（背面部５１Ｂ，５２Ｂ）の領域である。
【００４２】
図２に示すように、プロジェクター５の下ケース５２（背面部５２Ｂ）には、装着カバー１の後述する固定部２０と協働して装着カバー１を固定する固定部７０を備えている。プロジェクター５の固定部７０は、係合受部７１とネジ固定受部７３とを備えている。係合受部７１は、装着カバー１の後述する係合部２１と係合するものであり、背面部５２Ｂの上側端部に一対構成されている。なお、係合受部７１には、開閉蓋７２がそれぞれ設置されている。ネジ固定受部７３は、装着カバー１の後述するネジ固定部２２を固定するものであり、背面部５２Ｂの凹部５２Ｃに構成されるインターフェース部５３の上部に位置して下側に突出して一対構成されている。
【００４３】
装着カバー１は、図２、図３に示すように、外装筐体５０の背面部５１Ｂ，５２Ｂの外形状を覆う形状に形成される装着カバー本体１０と、外装筐体５０に備える赤外線フィルター３に相対する位置に設置されて同様の働きを行う赤外線フィルター１５と、プロジェクター５の固定部７０に装着して固定する固定部２０とを有して構成される。
【００４４】
装着カバー本体１０は、図４に示すように、フィルター固定部１１０と、２つの切り欠き部１０１，１０２を備えている。フィルター固定部１１０は、別体で形成される赤外線フィルター１５を固定するためのものである。切り欠き部１０１は、図３に示すように、インターフェース部５３の入力端子５３１に接続される各種の接続ケーブル（図示省略）を下方向に延出させる部分であり、接続ケーブルを覆うことにより外観上で隠すための部分でもある。また、切り欠き部１０２も切り欠き部１０１と同様に、インレットコネクター５３２に接続される電源ケーブル（図示省略）を下方向に延出させる部分であり、接続ケーブルを覆うことにより外観上で隠すための部分である。
【００４５】
図４に示すように、フィルター固定部１１０は、赤外線フィルター１５を装着カバー本体１０の上端部に固定するための固定切り欠き部１１１と、固定切り欠き部１１１の左右側近傍で、装着カバー本体１０の内面側に突出させた一対の固定突起１１２と、固定突起１１２に形成されたネジ固定用の固定孔１１３とを有して構成されている。一方、赤外線フィルター１５は、フィルター本体１５１と、フィルター本体１５１の左右側に形成した一対のフィルター固定片１５２と、フィルター固定片１５２に形成されたネジ挿通孔１５３とを有して構成されている。
【００４６】
赤外線フィルター１５は、フィルター本体１５１を固定切り欠き部１１１に合わせ、フィルター固定片１５２を固定突起１１２に合わせて設置し、ネジ１８をネジ挿通孔１５３に挿通して固定孔１１３にねじ締めすることで装着カバー本体１０に固定される。
【００４７】
なお、装着カバー本体１０に設置される赤外線フィルター１５の左右方向の大きさは、プロジェクター５に有する赤外線フィルター３の大きさに比較して広く形成されている。詳細には、装着カバー１の赤外線フィルター１５の左右方向の大きさは、プロジェクター５の赤外線フィルター３で設定される赤外線の入射角度をカバーできる大きさとして設定されている。
【００４８】
装着カバー１の固定部２０は、図４、図５に示すように、係合部２１とネジ固定部２２とを有して構成されている。係合部２１は、装着カバー本体１０の上部に一対形成され、プロジェクター５の係合受部７１と係合する。ネジ固定部２２は、装着カバー本体１０の下部に一対形成され、プロジェクター５のネジ固定受部７３と固定する。
【００４９】
係合部２１は、図４、図５に示すように、装着カバー本体１０の内面側に突出する係合腕部２１１と、係合腕部２１１の先端部に形成されてプロジェクター５の係合受部７１に係合する係合面２１３を有する係合突部２１２とを備えて構成される。ネジ固定部２２は、図４、図５に示すように、装着カバー本体１０の内面側に突出するネジ保持腕部２２１と、ネジ保持腕部２２１の先端部に形成されてプロジェクター５の下ケース５２のネジ固定受部７３に固定するネジ保持部２２２とを備えて構成される。また、ネジ固定部２２は、ネジ保持部２２２に保持されるネジ３０と、ネジ３０を回動自在に保持してネジ３０の抜け止めも兼ねる止め輪３５と、ネジ３０に付勢力を付与する付勢部材としてのばね６０とを備えて構成される。
【００５０】
ネジ保持部２２２は、詳細には、プロジェクター５側のネジ固定受部７３を構成する固定受部７３１の当接面７３３に当接する当接面２２３と、当接面２２３から一段窪ませた止め輪受面２２４とを有して構成される。また、ネジ保持部２２２は、ネジ３０を案内するネジ案内孔２２５と、ネジ３０のネジ頭３１と当接させるための下方に突出させたネジ頭受部２２９とを有して構成されている。ネジ案内孔２２５は、第１軸部案内孔２２６と第２軸部案内孔２２７とを有して構成され、第１軸部案内孔２２６と第２軸部案内孔２２７との段差部には、ばね６０が当接するばね受面２２８が形成されている。
【００５１】
一方、ネジ３０は、ネジ頭３１とネジ軸部３２とネジ部３３とを有して構成されている。ネジ軸部３２は、第１軸部３２１と第２軸部３２２と第３軸部３２３とで構成されている。なお、第１軸部３２１、第２軸部３２２、第３軸部３２３の順番で径が小さく形成されている。また、第１軸部３２１はネジ頭３１と接続し、第３軸部３２３はネジ部３３と接続されている。また、第１軸部３２１の第２軸部３２２との段差部には、ばね６０が当接するばね受面３２４が形成されている。
【００５２】
ネジ３０のネジ保持部２２２への組み立ては、最初に、圧縮コイルばねとして構成されるばね６０をネジ３０に挿入する。詳細には、ばね６０をネジ３０のネジ部３３側から挿入する。これにより、挿入されたばね６０は、ばね６０の一端がばね受面３２４に当接して保持される。この状態で、次に、ネジ３０をネジ頭受部２２９側からネジ案内孔２２５に挿入する。詳細には、ネジ部３３を第１軸部案内孔２２６から挿入して第２軸部案内孔２２７に挿通させる。
【００５３】
挿入の途中において、ばね６０は、ネジ案内孔２２５のばね受面２２８に当接する。これにより、ばね６０は、一端がネジ３０のばね受面３２４に当接し、他端がネジ案内孔２２５のばね受面２２８に当接して、双方のばね受面３２４，２２８を付勢（押圧）する。そして、ばね６０の付勢力に抗してネジ３０を挿入し、ネジ部３３を止め輪受面２２４から突出させる。次に、突出させたネジ部３３と接続する第３軸部３２３に対して、止め輪３５を軸に垂直方向から嵌め込む。本実施形態では、止め輪３５としてＥ形止め輪を用いている。以上により、ネジ３０のネジ保持部２２２への組み立てが終了する。
【００５４】
なお、止め輪３５の外径は第２軸部案内孔２２７の径より大きく、止め輪３５の内径はネジ部３３の外形より小さい。止め輪３５を第３軸部３２３に嵌合することにより、ネジ部３３は、ばね６０の付勢力により、止め輪３５を止め輪受面２２４に押し付ける状態となり、ねじ３０がネジ保持部２２２に保持される。言い換えると、この組み立てにより、ネジ３０は、ばね６０の付勢力により、ネジ部３３が止め輪３５を止め輪受面２２４に当接するまで挿入方向とは逆方向（下方向）に押し下げられて固定される。なお、この状態で、ネジ部３３の先端部３３１は当接面２２３から上方に突出していない。
【００５５】
なお、ネジ３０は、止め輪３５により回転自在に支持される。また、ネジ３０は、ばね６０の付勢力により、挿入方向とは逆方向（下方向）に付勢されるため、ネジ保持部２２２内でのネジ３０の挿入方向のがたつきが抑えられた状態となる。
【００５６】
プロジェクター５の係合受部７１は、図５に示すように、上ケース５１の背面部５１Ｂと下ケース５２の背面部５２Ｂとの境界部に形成されている。係合受部７１は、係合孔部７１１と係合面部７１２と軸支持部７１５とを有して構成されている。
【００５７】
係合孔部７１１は、装着カバー１の係合部２１を挿通させるものである。係合孔部７１１は、略矩形をなす貫通孔となるように下ケース５２及び上ケース５１にかけて形成されている。係合面部７１２は、係合部２１を構成する係合突部２１２（係合面２１３）と係合するものである。係合面部７１２は、係合孔部７１１の上部となる上ケース５１の内面側に突出して形成されている。軸支持部７１５は、後述する開閉蓋７２の回転軸７２４を回動自在に支持するものである。軸支持部７１５は、係合孔部７１１の下部となる下ケース５２の内面側に突出して形成されている。
【００５８】
開閉蓋７２は、係合受部７１に設置されて、装着カバー１の係合部２１と係合する際に係合孔部７１１を開口し、係合部２１が係合を解除する際に係合孔部７１１を閉塞するものである。開閉蓋７２は、蓋本体７２１と回転軸７２４とばね７２５とを有して構成されている。蓋本体７２１は、略箱状に形成される。回転軸７２４は、蓋本体７２１の下部に形成され、軸支持部７１５に支持されて開閉蓋７２を回転させる。
【００５９】
ばね７２５は、本実施形態では、ねじりコイルばねとして形成されている。ばね７２５は、回転軸７２４に挿通され、一端は軸支持部７１５の下方向の下ケース５２内面を付勢し、他端は蓋本体７２１の上部に形成する支持部（図示省略）を付勢した状態で設置される。
【００６０】
この構成により、開閉蓋７２は、図５に示すように、係合部２１と係合しない場合には、ばね７２５の付勢力により、蓋本体７２１を係合孔部７１１に位置させて係合孔部７１１を閉塞する。また、開閉蓋７２は、図６に示すように、係合部２１と係合する場合には、係合部２１の係合突部２１２に外面７２２が押圧されることにより、軸支持部７１５（回転軸７２４）を中心として、蓋本体７２１がばね７２５の付勢力に抗して外装筐体５０内部に回転することで、係合孔部７１１を開口させる。
【００６１】
プロジェクター５のネジ固定受部７３は、図５に示すように、固定受部７３１とナット７５とを有して構成されている。固定受部７３１は、ネジ固定部２２のネジ保持部２２２を受けるものである。固定受部７３１は、ナット嵌合孔７３２と、ネジ保持部２２２の当接面２２３と当接する当接面７３３とを有して構成されている。ネジ固定受部７３は、ナット嵌合孔７３２にナット７５を嵌合した状態で構成される。
【００６２】
次に、装着カバー１をプロジェクター５に装着する際の装着カバー１の固定部２０、及びプロジェクター５の固定部７０の動作を説明する。
【００６３】
最初に、使用者は、装着カバー１を把持して、装着カバー１の係合部２１をプロジェクター５の係合受部７１に係合させる。詳細には、係合部２１の係合突部２１２を係合受部７１に設置される開閉蓋７２の外面７２２に当接させて係合孔部７１１の内部に係合突部２１２を挿入する。この動作と併せて、装着カバー１のネジ固定部２２をプロジェクター５のネジ固定受部７３に移動する。詳細には、ネジ固定部２２（ネジ保持部２２２）の当接面２２３を、ネジ固定受部７３（固定受部７３１）の当接面７３３に当接するように移動させる。この動作により、係合部２１（係合突部２１２）の係合面２１３が、係合受部７１の係合面部７１２に当接して係合する。
【００６４】
次に、使用者は、ドライバー等の工具の先端部をネジ３０の下方からネジ頭３１に係合させる。そして、使用者は、ばね６０の付勢力に抗して、ドライバーを回転させる。この動作により、図６に示すように、ネジ部３３をナット７５に螺合させ、ネジ保持部２２２の当接面２２３をネジ固定受部７３の当接面に当接させ、また、ネジ頭３１をネジ頭受部２２９に当接させる。これにより、ネジ保持部２２２は、ネジ固定受部７３に固定される。以上の動作により、装着カバー１をプロジェクター５の背面部５１Ｂ，５２Ｂに装着することができる。
【００６５】
次に、装着カバー１をプロジェクター５から取り外す際の装着カバー１の固定部２０、及びプロジェクター５の固定部７０の動作を説明する。
【００６６】
最初に、使用者は、ドライバー等の工具の先端部をネジ３０の下方からネジ頭３１に係合させ、ネジ部３３がナット７５との螺合から解除するまで回転させる。螺合から解除されたネジ３０は、図４に示すように、ばね６０の付勢力により、ネジ頭３１が下方向に押圧され、ネジ部３３は、止め輪３５を止め輪受面２２４とで挟む状態となる。次に、使用者は、装着カバー１を把持して係合部２１を若干下げるようにして、係合部２１をプロジェクター５の係合受部７１から取り外す。
【００６７】
装着カバー１の係合部２１が係合受部７１から抜かれた場合、開閉蓋７２は、ばね７２５の付勢力により、係合孔部７１１を閉塞させる。
以上の動作により、装着カバー１をプロジェクター５の背面部５１Ｂ，５２Ｂから取り外すことができる。
【００６８】
上述した実施形態によれば、以下の効果が得られる。
本実施形態の装着カバー１は、装着対象部として、インターフェース部５３、及びインターフェース部５３の近傍に位置する赤外線フィルター３を含めた外装筐体５０の背面部５１Ｂ，５２Ｂの領域に対し、着脱自在に装着される。そして、装着カバー１は、赤外線を透過させるフィルター部材としての赤外線フィルター１５を備えることにより、装着対象部に赤外線フィルター３が設置されている場合であっても、この赤外線フィルター３を避けた外形形状で装着カバー１を構成する必要がなくなる。これにより、装着カバー１の設計上の自由度を向上させることができる。また、装着対象部に装着カバー１を装着した場合、複数の接続ケーブルが接続されるインターフェース部５３等を覆うことにより、外観上の見栄えを向上させることができる。また、装着対象部を外力から保護することもできる。
【００６９】
本実施形態の装着カバー１において、装着カバー本体１０に回転自在に支持されるネジ３０を有するネジ固定部２２（固定部２０）により装着カバー１を装着対象部に確実に固定することができる。
【００７０】
本実施形態の装着カバー１は、ネジ固定部２２を構成する付勢部材としてのばね６０によりネジ３０に付勢力を付与する。これにより、ネジ３０の位置が固定され、ネジ３０のがたつきが抑制されるため、ネジ締めする際の作業性を向上させると共に、更に確実に、装着カバー１を装着対象部に固定することができる。また、ネジ３０の位置が固定され、がたつきが抑制されるため、装着カバー１を装着対象部に装着する際、ネジ３０のがたつきによる装着対象部への傷つけ等の不具合を抑制することができ、装着対象部の外観品質を良好に維持することができる。
【００７１】
本実施形態の装着カバー１において、付勢部材としてのばね６０はコイルばねで形成されるため、簡易に付勢部材を構成することができる。
【００７２】
本実施形態の装着カバー１は、固定部２０が係合部２１を備えて装着カバー１を装着対象部に固定することができることにより、装着操作が簡易となる。また、係合部２１とネジ固定部２２とを併用して装着カバー１を装着対象部に固定することができることにより、確実な装着を行うことができる。
【００７３】
本実施形態のプロジェクター５は、装着対象部に対して装着カバー１を着脱自在に装着することができるため、インターフェース部５３の複数の接続ケーブルを覆い隠すことができる。これにより、外観的な見栄えを向上させることができると共に、インターフェース部５３を塵埃の進入や外力の印加等から保護することができ、接続ケーブルの良好な接続状態を維持させることができる。これにより、外部接続機器から入力された映像信号に対して、安定した映像を投写させることができる。
【００７４】
本実施形態のプロジェクター５は、係合受部７１に開閉蓋７２を備えており、装着カバー１をプロジェクター５から取り外した際に、係合受部７１の係合孔部７１１を開閉蓋７２が閉塞する。これにより、係合受部７１（係合孔部７１１）を隠すことができ、外観上の見栄えを含む外観品質を向上させることができる。また、係合受部７１（係合孔部７１１）を塵埃の進入や外力の印加等から保護することができる。また、装着カバー１をプロジェクター５に係合する際に、開閉蓋７２が開口することで、係合孔部７１１に係合部２１を挿通して係合面部７１２に係合させることができる。
【００７５】
なお、上述した実施形態に限定されず、その要旨を逸脱しない範囲において種々の変更や改良等を加えて実施することが可能である。変形例を以下に述べる。
【００７６】
（変形例１）前記実施形態の装着カバー１は、プロジェクター５の赤外線フィルター３を覆う赤外線フィルター１５を備えているが、この赤外線フィルター１５は備えていなくてもよい。この場合、赤外線フィルター３を覆わないように装着カバーの外形を形成する必要がある。そして、装着カバーは、本実施形態と同様に、装着対象部に装着して固定する固定部２０を備え、固定部２０は、装着カバーの本体に回転自在に支持されるネジ３０を有して装着対象部に固定するネジ固定部２２を備え、ネジ固定部２２は、ネジ３０に付勢力を付与する付勢部材（ばね６０）を備えることで構成してもよい。このように構成された装着カバーは、赤外線フィルター１５の奏する効果以外の効果を、本実施形態と同様に奏することができる。
【００７７】
（変形例２）前記実施形態の装着カバー１は、固定部２０として係合部２１とネジ固定部２２とを備えている。しかし、これに限られず、固定部２０として、ネジ固定部２２のみを備えていることでもよい。この場合、ネジ固定部２２に対応させて、プロジェクター５の固定部７０としてネジ固定受部７３を備えることでよい。なお、ネジ固定部２２の数量や設置位置は、適宜決めることができる。これは、赤外線フィルター１５を備えない装着カバーの場合にも同様に構成することができる。
【００７８】
（変形例３）前記実施形態の装着カバー１は、固定部２０として係合部２１とネジ固定部２２とを備えている。しかし、これに限られず、固定部２０として、係合部２１のみを備えていることでもよい。この場合、係合部２１に対応させて、プロジェクター５の固定部７０として係合受部７１を備えることでよい。なお、係合部２１の数量や設置位置は、適宜決めることができる。
【００７９】
（変形例４）前記実施形態の装着カバー１は、プロジェクター５に対して着脱自在に装着することを説明したが、プロジェクター以外の電子機器においても適用することができる。また、装着カバー１は、インターフェース部５３、及びインターフェース部５３の近傍に位置する赤外線フィルター３を含めた外装筐体５０の背面部５１Ｂ，５２Ｂの領域を装着対象部としているが、このような領域に限られず、これ以外の隠したい領域、または、外観的な見栄えを向上させたい領域等を装着対象部として適用してもよい。
【００８０】
（変形例５）前記実施形態の装着カバー１は、固定部２０として、一対（２つ）の係合部２１と、一対（２つ）のネジ固定部２２とで構成されているが、数量には限られず、１つで構成してもよいし、２つ以上で構成してもよい。
【００８１】
（変形例６）前記実施形態の装着カバー１において、ネジ固定部２２に用いる付勢部材として、コイルばねで形成されるばね６０を用いた構成を説明した。しかし、これに限られず、付勢部材として、例えば、板ばね、ゴム等を採用し、これらの付勢力によりネジ３０を付勢する構成を採用してもよい。
【００８２】
（変形例７）前記実施形態のプロジェクター５において、光学装置４５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【００８３】
（変形例８）前記実施形態のプロジェクター５において、光学装置４５は、透過型の光変調装置（透過型の液晶パネル４５１）を採用している。しかし、これに限られず、反射型の光変調装置を採用してもよい。
【００８４】
（変形例９）前記実施形態のプロジェクター５において、光学装置４５は、光変調装置として液晶パネル４５１を採用している。しかし、これに限られず、一般に、入射光束を画像信号に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【００８５】
（変形例１０）前記実施形態のプロジェクター５において、光学ユニット４は、光源装置４１から射出された光束の照度を均一化する照明光学装置４２として、レンズアレイ４２１，４２２からなるレンズインテグレーター光学系を採用している。しかし、これに限定されるものではなく、導光ロッドからなるロッドインテグレーター光学系も採用することができる。
【００８６】
（変形例１１）前記実施形態のプロジェクター５の光学ユニット４において、光源装置４１の光源ランプ４１１は、超高圧水銀ランプ等の放電式ランプを採用しているが、レーザーダイオード、ＬＥＤ（Light Emitting Diode）、有機ＥＬ（Electro Luminescence）素子、シリコン発光素子等の各種固体発光素子を採用してもよい。
【符号の説明】
【００８７】
１…装着カバー、５…プロジェクター、１５…赤外線フィルター、２０…固定部、２１…係合部、２２…ネジ固定部、３０…ネジ、５３…インターフェース部、６０…ばね、７０…固定部、７１…係合受部、７２…開閉蓋、７３…ネジ固定受部。
【図１】
2012008174.tif 000003
【図２】
2012008174.tif 000004
【図３】
2012008174.tif 000005
【図４】
2012008174.tif 000006
【図５】
2012008174.tif 000007
【図６】
2012008174.tif 000008